(57)【特許請求の範囲】
【請求項１】
支点部と押圧ノブとの間に弾性変形部を有する操作キーと、前記押圧ノブを配置させる開口を有し、裏面側に前記支点部を挿着させる挿着部を設けた前面板と、この前面板に開設した表示窓から表示画面を露出させた表示ユニットと、透明性板体の裏面周縁部に遮光性材料を設けた表示領域規定部材とを備え、
この表示領域規定部材が前記表示窓を裏面側から蓋閉した状態で前記前面板に固定されることにより、前記表示ユニットの有効表示領域が規定される操作パネルにおいて、前記挿着部に挿着した前記支点部を裏側から前記表示領域規定部材の周縁部で押さえ付けて位置決め固定すると共に、
前記表示ユニットの前面周縁部にクッション部材を付設し、このクッション部材が前記表示領域規定部材の裏面周縁部に弾接するように設定し、
前記表示領域規定部材に前記表示ユニットが前記クッション部材を介して圧接されるように設定したことを特徴とする操作パネルの操作キー取付構造。
【発明の詳細な説明】
【０００１】
【発明の属する技術分野】
本発明は、表示窓を有する前面板にヒンジ部を有する操作キーが組み込まれている操作パネルの操作キー取付構造に関する。
【０００２】
【従来の技術】
車載用の音響機器などに採用されている操作パネルには、カセットテープ挿入口などを開設してノーズとも呼称される前面板や、この前面板に組み込まれる複数の操作キーが具備されており、かかる操作キーとしては、押圧ノブにヒンジ部を延設した構成のものが広く知られている。すなわち、この種の操作キーは、ヒンジ部の固定端となる支点部を前面板の裏面側に位置決め固定し、前面板の開口内に配置される押圧ノブを押し込むと、この押圧ノブから延びて前記支点部に連結されているヒンジ部の弾性変形部が撓むようになっている。また、近年では、前面板の一部にＬＣＤ等の表示ユニットの表示画面を露出させた操作パネルも知られているが、その場合、前面板の一部に開設した表示窓に表示ユニットの有効表示領域を規定するためのマスキングが施された透明性板体を取り付け、この表示窓に表示ユニットの表示画面が露出するようになっている。
【０００３】
図４は、ヒンジ部を有する操作キーを組み込んだ従来の操作パネルの要部断面図である。同図に示すように、操作キー１は、前面板５の開口５ａ内に配置される押圧ノブ２と、この押圧ノブ２の上方に延設されたヒンジ部３と、押圧ノブ２の後方に突設されたステム４とで構成されており、ヒンジ部３は、前面板５の裏面側の凹所５ｂ内に挿入されて固定端となる支点部３ａと、押圧ノブ２から延びて支点部３ａに連結されている弾性変形部３ｂとからなる。また、ヒンジ部３の支点部３ａは、裏側から導光体６の押さえ部６ａに押さえ付けられており、これにより支点部３ａは前面板５の凹所５ｂ内に位置決め固定されている。さらに、操作キー１のステム４の後方には図示せぬスイッチ素子が対向配置させてあり、操作者が前方から手指等で押圧ノブ２を押し込むと、弾性変形部３ｂが撓んで押圧ノブ２が図４の反時計回りの向きに後退するので、ステム４を介して該スイッチ素子が押圧駆動されるようになっている。
【０００４】
なお、導光体６は前面板５の裏面側に組み込まれて図示せぬ光源の光を前方へ導くためのもので、例えば、押圧ノブ２に表示されている文字や記号を光透過領域となし、この領域を裏面側から導光体６で照光してやれば、暗所でも操作パネルを操作することができる。また、図中符号７で示す電子部品は、前記スイッチ素子や前記光源などと共に図示せぬ回路基板に実装されている。
【０００５】
【発明が解決しようとする課題】
ところで、このような操作パネルが採用される電子機器では製品のコンパクト化や多機能化が促進されているため、最近は、操作パネル自体も押圧ノブ２どうしの間隔を狭めたり、導光体６の切欠き部分を電子部品７等の配置スペースに利用するなどして、省スペース化に対応した設計になってきている。その影響で、操作キー１の支点部３ａを押さえ付ける導光体６の押さえ部６ａを、図４に示すように細い突起状に形成しなければならない場合が多くなっているが、アクリル樹脂等からなる導光体６に設けた細い突起状の押さえ部６ａの強度はさほど大きくはないので、操作者が強い力で押圧ノブ２を押し込んだ場合などに、該押さえ部６ａが折れてしまう危険性があった。
【０００６】
また、上述した従来技術において、押圧ノブ２のヒンジ部３側の端面とこれに対向する前面板５の開口５ａの壁面との間の隙間Ｃ（図４参照）は、押圧ノブ２の押圧操作時に若干広くなるが、このとき、ヒンジ部３の支点部３ａを裏側から押さえ付けている導光体６の光が、隙間Ｃから前方に漏れて操作者に目視されやすいという不具合があった。
【０００７】
【課題を解決するための手段】
本発明は、導光体の代わりに、ＬＣＤ等の表示ユニットの有効表示領域を規定するために前面板の表示窓に取り付けられる板状の表示領域規定部材を利用し、この表示領域規定部材のマスキングされている周縁部で操作キーの支点部を裏側から押さえ付け、さらにこの表示領域規定部材に表示ユニットをクッション部材を介して圧接させることにより、操作キーの支点部を十分な強度で位置決め固定でき、かつ、押圧操作時に懸念されていた光漏れも防止できるようにした。
【０００８】
【発明の実施の形態】
本発明による操作パネルの操作キー取付構造は、支点部と押圧ノブとの間に弾性変形部を有する操作キーと、前記押圧ノブを配置させる開口を有し、裏面側に前記支点部を挿着させる挿着部を設けた前面板と、この前面板に開設した表示窓から表示画面を露出させた表示ユニットと、透明性板体の裏面周縁部に遮光性材料を設けた表示領域規定部材とを備え、この表示領域規定部材が前記表示窓を裏面側から蓋閉した状態で前記前面板に固定されることにより、前記表示ユニットの有効表示領域が規定される操作パネルにおいて、前記挿着部に挿着した前記支点部を裏側から前記表示領域規定部材の周縁部で押さえ付けて位置決め固定すると共に、前記表示ユニットの前面周縁部にクッション部材を付設し、このクッション部材が前記表示領域規定部材の裏面周縁部に弾接するように設定し、前記表示領域規定部材に前記表示ユニットが前記クッション部材を介して圧接されるように設定した。
【０００９】
上述したように、前面板の表示窓に取り付けられて表示ユニットの有効表示領域を規定する板状の表示領域規定部材を利用し、この表示領域規定部材のマスキングされている周縁部で操作キーの支点部を裏側から押さえ付けてやれば、該支点部を導光体で押さえ付ける場合に懸念される押圧操作時の光漏れが回避できる。しかも、この表示領域規定部材には裏側から表示ユニットがクッション部材を介して圧接されるので、操作者が強い力で押圧ノブを押し込んだ場合などのように、操作キーの支点部を介して表示領域規定部材が後方へ強く押し込まれたとしても、この表示領域規定部材が破損したり前面板から剥離する心配はない。
【００１０】
また、塵埃の侵入を防止するために表示ユニットの前面周縁部にクッション部材が貼着されている場合には、このクッション部材が表示領域規定部材の裏面周縁部に弾接することになるので、組立時に表示領域規定部材を表示ユニットに対して簡単かつ確実に圧着させることができる。
【００１１】
【実施例】
実施例について図面を参照して説明すると、図１は本発明の一実施例に係る操作パネルを備えた電子機器の要部断面図、図２は図１中のＡ部の拡大図、図３は図１に示す操作パネルを前方から見た要部正面図であり、従来技術の説明に用いた図４と対応する部分には同一符号が付してある。
【００１２】
図１に示す電子機器は、ＬＣＤユニット（表示ユニット）１１やスイッチ素子１２等の各種電子部品や照光用の光源等が実装されている回路基板１０の前方に操作パネル９を組み付け、この操作パネル９に配設されている操作キー１等を操作することにより、回路基板１０の後方に組み込まれているチューナや記録再生装置等の機器本体（図示せず）を駆動させるという車載用の音響機器である。
【００１３】
前記操作パネル９は、押圧ノブ２にヒンジ部３を延設してなる操作キー１を含む複数の操作体と、ＬＣＤユニット１１の表示画面を露出させる表示窓５ｃや押圧ノブ２を配置させる開口５ａやカセットテープ挿入口（図示せず）などを開設してノーズとも呼称される前面板５と、前記表示窓５ｃを裏面側から蓋閉した状態で両面接着テープにより前面板５に固定されスケールとも呼称される表示領域規定部材８と、前面板５の裏面側に組み込まれて前記光源の光を前方へ導く導光体（図示せず）などによって構成されている。
【００１４】
操作キー１は、前面板５の開口５ａ内に配置される押圧ノブ２と、この押圧ノブ２の上方に延設されたヒンジ部３と、押圧ノブ２の後方に突設されてスイッチ素子１２に対向するステム４とで構成されており、ヒンジ部３は、前面板５の裏面側の凹所（挿着部）５ｂ内に挿入されて固定端となる支点部３ａと、押圧ノブ２から延びて支点部３ａに連結されている弾性変形部３ｂとからなる。また、スケール（表示領域規定部材）８は、ポリカーボネイトシート等の透明性板体８ａの裏面周縁部に、黒色等の遮光性塗料をシルク印刷するなどして遮光膜８ｂを設けたものであり、この枠状に印刷形成された遮光膜８ｂの内側の領域がＬＣＤユニット１１の有効表示領域となる。すなわち、操作パネル９は、ＬＣＤユニット１１の前面周縁部をスケール８の裏面周縁部に圧接させた状態に組み付けられるが、このＬＣＤユニット１１の表示画面は前面板５の表示窓５ｃと略同形であり、かつ遮光膜８ｂの内周縁形状は表示窓５ｃよりもひと回り小さな長方形に設定されているので、表示窓５ｃを覆う透明性板体８ａに対向するＬＣＤユニット１１の表示画面は周縁部分が枠状の遮光膜８ｂに覆い隠されることになり、この遮光膜８ｂの内側に露出する部分が有効表示領域となる。なお、ＬＣＤユニット１１の前面周縁部には、通常、組立時における塵埃の侵入を防止するためモルトプレン等からなるクッション部材１３が貼着されているので、スケール８の裏面周縁部はこのクッション部材１３に圧接されている。
【００１５】
そして、本実施例においては、前面板５の凹所５ｂ内に挿入されている操作キー１の支点部３ａを、裏側からスケール８の周縁部で押さえ付けており、このスケール８の周縁部には上述したように、クッション部材１３を介してＬＣＤユニット１１の周縁部が圧接されているので、結局、前面板５とＬＣＤユニット１１とに挟み付けられているスケール８の周縁部によって、操作キー１の支点部３ａが凹所５ｂ内に位置決め固定されている。なお、かかる操作キー１は、操作者が前方から手指等で押圧ノブ２を押し込むと、弾性変形部３ｂが撓んで押圧ノブ２が図１，２の反時計回りの向きに後退するので、ステム４を介してスイッチ素子１２が押圧駆動されるようになっている。
【００１６】
このように本実施例においては、前面板５の表示窓５ｃに取り付けられてＬＣＤユニット１１の有効表示領域を規定する板状のスケール８を利用し、遮光膜８ｂによってマスキングされているこのスケール８の周縁部で操作キー１のヒンジ部３の支点部３ａを裏側から押さえ付けているので、該支点部３ａを前記導光体で押さえ付けるという従来技術において懸念される押圧操作時の光漏れが回避でき、製品の品位低下が防止されている。また、このスケール８の周縁部には裏側からＬＣＤユニット１１が圧接されているので、つまりスケール８の周縁部は前面板５とＬＣＤユニット１１とに挟み付けられているので、操作者が強い力で押圧ノブ２を押し込んだ場合などのように、操作キー１の支点部３ａを介してスケール８が後方へ強く押し込まれたとしても、このスケール８が破損したり前面板５から剥離する心配はなく、よって従来技術に比べて操作キー１の取付強度が大幅に向上している。なお、ＬＣＤユニット１１の前面周縁部にはクッション部材１３が貼着されていて、このクッション部材１３がスケール８の裏面周縁部に弾接する構造になっているので、組立時にスケール８をＬＣＤユニット１１に対して簡単かつ確実に圧接させることができる。
【００１７】
【発明の効果】
本発明は以上説明したような形態で実施され、以下に記載されるような効果を奏する。
【００１８】
前面板の表示窓に取り付けられて表示ユニットの有効表示領域を規定する板状の表示領域規定部材を利用し、この表示領域規定部材のマスキングされている周縁部で操作キーの支点部を裏側から押さえ付けることにより、該支点部を導光体で押さえ付ける場合に懸念される押圧操作時の光漏れが回避できる。しかも、この表示領域規定部材は裏側から表示ユニットにクッション部材を介して圧接されるので、操作キーの支点部を介して表示領域規定部材が後方へ強く押し込まれたとしても、この表示領域規定部材が破損したり前面板から剥離する心配はない。
また、塵埃の侵入を防止するために表示ユニットの前面周縁部にクッション部材が貼着されている場合には、このクッション部材が表示領域規定部材の裏面周縁部に弾接することになるので、組立時に表示領域規定部材を表示ユニットに対して簡単かつ確実に圧接させることができる。
【図面の簡単な説明】
【図１】本発明の一実施例に係る操作パネルを備えた電子機器の要部断面図である。
【図２】図１中のＡ部の拡大図である。
【図３】図１に示す操作パネルを前方から見た要部正面図である。
【図４】従来技術を示す操作パネルの要部断面図である。
【符号の説明】
１  操作キー
２  押圧ノブ
３  ヒンジ部
３ａ  支点部
３ｂ  弾性変形部
４  ステム
５ａ  開口
５ｂ  凹所（挿着部）
５ｃ  表示窓
６  導光体
８  表示領域規定部材（スケール）
８ａ  透明性板体
８ｂ  遮光膜（遮光性材料）
９  操作パネル
１０  回路基板
１１  ＬＣＤユニット（表示ユニット）
１２  スイッチ素子
１３  クッション部材
【図１】
0003814069.tif 000002
【図２】
0003814069.tif 000003
【図３】
0003814069.tif 000004
【図４】
0003814069.tif 000005